(57)【特許請求の範囲】
【請求項１】
内部に供給流路およびこの供給流路を開閉する弁体を設け、後端に前記供給流路に連通するホース接続部を設け、前端に前記供給流路の出口を設けたグリップを有する散水器本体と、この散水器本体の前面側に回転自在に取付けられるノズルヘッドと、このノズルヘッドにねじ結合し、散水器本体に対し回転不能でノズルヘッドの回転により軸方向に進退移動する内部が中空のスピンドルと、流量操作レバーの回動操作に連動して前記弁体を移動させる弁体レバーと、前記出口を開閉してスピンドル側への供給流量を調整する流量調整ハンドルとを備え、更に、前記スピンドルは、貫通穴の下流側開口の近傍に上流側に向かって第１の流水孔および第２の流水孔を順次有し、前記スピンドル内で前記下流側開口および第２の流水孔間にはコマ状の噴霧ガイド部材が嵌め込まれ、前記ノズルヘッドは、
（１）前記噴霧ガイド部材とで前記供給流路から前記貫通穴、前記第２の流水孔、前記第１の流水孔を通り前記噴霧ガイド部材およびスピンドル間に形成された隙間を経て前記下流側開口の直上流側に位置する第１出口に至る流路と、前記噴霧ガイド部材とで前記供給流路から前記貫通穴、前記第２の流水孔を経て第２出口に至る流路とを形成する第１のガイド部材と、
（２）この第１のガイド部材および前記噴霧ガイド部材とで前記供給流路から前記貫通穴、前記第２の流水孔を経て第３出口に至る流路を形成する第２のガイド部材と、
（３）この第２のガイド部材、前記ノズルヘッドの筒部およびスピンドルの外周部とで前記供給流路からねじ結合部の隙間を経て第４出口に至る流路を形成する第３のガイド部材とを有する散水器であって、
さらに、前記スピンドルが最も前側に位置する状態で開操作すると、前記スピンドルがその都度後退しながら順次、ミストの状態、フレアの状態、ジェットの状態、シャワーの状態、じょうろの状態および整流の状態になるよう構成されているとともに、
シャワーの流路とじょうろの流路の最下流流路が同じで、前記第１のガイド部材および前記第２のガイド部材によって形成されており、
前記第３出口から吐水するシャワー状態では前記第２の流水孔が、前記最下流流路の入口と略整合するよう位置する一方、
前記第３出口から吐水するじょうろの状態では、シャワー状態からの前記スピンドルの後退によって前記第２の流水孔の下流側が覆われるよう構成されていることを特徴とする散水器。
【発明の詳細な説明】
【０００１】
【発明の属する技術分野】
この発明は、例えば、一般家庭の園芸等に用いられる散水器に関する。
【０００２】
【従来の技術および発明が解決しようとする課題】
散水器本体の前面側に回転自在に取付けられるノズルヘッドと、このノズルヘッドにねじ結合し、散水器本体に対し回転不能でノズルヘッドの回転により散水器本体のシリンダ内を軸方向に進退移動するスピンドルと、フレア（拡散水）、ジェット、シャワー、じょうろの４つの異なる散水パターンを任意に設定するための複数のガイド部材とを備えた散水器が提案されている（特開平９−１０３７１１号公報）けれども、ミストと整流の散水パターンを設定する機構はなかった。
【０００３】
この発明は、上述の事柄に留意してなされたもので、その目的は、必要最小限度の数のガイド部材を用いて、フレア（拡散水）、ジェット、シャワー、じょうろ以外に、ミストと整流の散水パターンも任意に設定できる散水器を提供することである。
【０００４】
【課題を解決するための手段】
上記目的を達成するため、この発明は、内部に供給流路およびこの供給流路を開閉する弁体を設け、後端に前記供給流路に連通するホース接続部を設け、前端に前記供給流路の出口を設けたグリップを有する散水器本体と、この散水器本体の前面側に回転自在に取付けられるノズルヘッドと、このノズルヘッドにねじ結合し、散水器本体に対し回転不能でノズルヘッドの回転により軸方向に進退移動する内部が中空のスピンドルと、流量操作レバーの回動操作に連動して前記弁体を移動させる弁体レバーと、前記出口を開閉してスピンドル側への供給流量を調整する流量調整ハンドルとを備え、更に、前記スピンドルは、貫通穴の下流側開口の近傍に上流側に向かって第１の流水孔および第２の流水孔を順次有し、前記スピンドル内で前記下流側開口および第２の流水孔間にはコマ状の噴霧ガイド部材が嵌め込まれ、前記ノズルヘッドは、
（１）前記噴霧ガイド部材とで前記供給流路から前記貫通穴、前記第２の流水孔、前記第１の流水孔を通り前記噴霧ガイド部材およびスピンドル間に形成された隙間を経て前記下流側開口の直上流側に位置する第１出口に至る流路と、前記噴霧ガイド部材とで前記供給流路から前記貫通穴、前記第２の流水孔を経て第２出口に至る流路とを形成する第１のガイド部材と、
（２）この第１のガイド部材および前記噴霧ガイド部材とで前記供給流路から前記貫通穴、前記第２の流水孔を経て第３出口に至る流路を形成する第２のガイド部材と、
（３）この第２のガイド部材、前記ノズルヘッドの筒部およびスピンドルの外周部とで前記供給流路からねじ結合部の隙間を経て第４出口に至る流路を形成する第３のガイド部材とを有する散水器であって、
さらに、前記スピンドルが最も前側に位置する状態で開操作すると、前記スピンドルがその都度後退しながら順次、ミストの状態、フレアの状態、ジェットの状態、シャワーの状態、じょうろの状態および整流の状態になるよう構成されているとともに、
シャワーの流路とじょうろの流路の最下流流路が同じで、前記第１のガイド部材および前記第２のガイド部材によって形成されており、
前記第３出口から吐水するシャワー状態では前記第２の流水孔が、前記最下流流路の入口と略整合するよう位置する一方、
前記第３出口から吐水するじょうろの状態では、シャワー状態からの前記スピンドルの後退によって前記第２の流水孔の下流側が覆われるよう構成されていることを特徴としている。
【０００５】
【発明の実施の形態】
以下、この発明の実施の形態を図面を参照しながら説明する。
図１は、この発明の一実施形態の全体を示し、図２は、ミスト、フレア（拡散水）、ジェットの散水パターンを示し、図３は、シャワー、じょうろの散水パターンを示し、図４は、整流の散水パターンを示す。
【０００６】
図１〜図４において、散水器１は、散水器本体２と、この散水器本体２の前面側に回転自在に取付けられるノズルヘッド３と、このノズルヘッド３にねじ結合し、散水器本体２に対し回転不能でノズルヘッド３の回転により軸方向（両矢印Ａで示す方向）に進退移動するスピンドル４とより主としてなる。
【０００７】
この発明の第１の特徴は、前記スピンドル４を内部を中空に構成している点である。符号ｈは、その貫通穴、符号ａは、その下流側開口、符号ｂは、その上流側開口である。
【０００８】
このスピンドル４は、下流側が先細り形状で、下流側開口ａの近傍に上流側に向かって第１の出口２３、第１の流水孔７７および第２の流水孔７を順次有し、小径部５と、これより上流側に連設された大径部６よりなる。すなわち、小径部５は、先細り部分５ａと筒部分５ｂよりなり、前記開口ａから極小長さＳだけ上流側開口ｂ側に離れた位置において、円周方向に設けた複数の前記第１の流水孔７７を有する。この第１の流水孔７７は先細り部分５ａと筒部分５ｂの境目に位置する〔図２（Ａ）参照〕。また、前記第２の流水孔７は、第１の流水孔７７から極小長さＦだけ開口ｂ側に離れた位置において、円周方向に複数個設けられている。この第２の流水孔７は、筒部分５ｂに位置する。
【０００９】
更に、前記小径部５の筒部分５ｂは、第２の流水孔７からＰだけ開口ｂ側に離れた位置から開口ｂ側にＱの長さの雄ねじ部８を有する〔図３（Ａ）参照〕。この雄ねじ部８はノズルヘッド３の内周面に形成された雌ねじ部９と螺合する。
【００１０】
前記大径部６の前記上流側開口ｂの端部外周面には複数の係合突起１０が円周方向に適当間隔をおいて設けられている。この係合突起１０は径方向に突出している。そして、各係合突起１０は、散水器本体２の、雌ねじ部９よりも更に上流側の内周面に形成された複数の係止溝１１それぞれにＡ方向に移動可能に嵌め込まれている。一方、ノズルヘッド３を散水器本体２に対し回転自在に止めるための止め輪１００を散水器本体２の前部２ａに設けてあり、ノズルヘッド３は、前記止め輪１００でＡ方向の移動を阻止されながら散水器本体２に対し回転自在に取付けられている。これにより、スピンドル４は、散水器本体２に対し回転不能でノズルヘッド３のＡ方向を中心とする回転によりＡ方向に進退移動できる。
【００１１】
また、スピンドル４内で、前記下流側開口ａおよび第２の流水孔７間には噴霧ガイド部材１２が嵌め込まれている。すなわち、この噴霧ガイド部材１２は、先細り部分５ａと筒部分５ｂに跨がり設置されており、横置きにしたコマの軸部分１４を、下流側に向けた状態で、かつ、前記第１の流水孔７７の位置よりも下流側で、更に、前記下流側開口ａの直上流側に位置する第１出口（後述する）２３よりも上流側に位置させながら噴霧ガイド部材１２が固定されている。また、噴霧ガイド部材１２の本体部分１５〔図２（Ａ）参照〕の上流側の平坦面１３が流路を前記第２の流水孔７へと迂回させる〔図２（Ａ）、図２（Ｂ）、図２（Ｃ）、図３（Ａ）、図３（Ｂ）参照〕。この本体部分１５の外周面はテーパ面１８に形成されている。
また、前記先細り部分５ａは、図２（Ａ）に示すように、軸部分１４の回りに位置しており、先細り部分５ａは軸部分１４とでミストの散水パターン時の流路の一つを構成する。すなわち、噴霧ガイド部材１５およびスピンドル４間に形成された隙間流路Ｇを構成する。そして、図２（Ｂ）で示すフレアの散水パターン、図２（Ｃ）で示すジェットの散水パターンのいずれの場合でも、前記隙間流路Ｇと供給流路Ｂは連通している。
【００１２】
なお、前記散水器本体２は、前面側にノズルヘッド３を有するが、後側にグリップ２０を有する。このグリップ２０は内部に供給流路Ｂを有し、その後端には、供給流路Ｂに連通するホース接続部２１が設けられ、前端には供給流路Ｂの出口２２が設けられている。７８は、供給流路Ｂを構成する筒体で、スプリング１０１により下流方向に付勢されており、その先端には弁体８０が固定されている。また、１０２は、後述する弁体レバー４０に係止する作用とスプリング１０１の上端（下流端）に係止する作用とを司る係止突部である。
【００１３】
以下、ノズルヘッド３について説明する。
【００１４】
（１）ノズルヘッド３は、噴霧ガイド部材１２とで供給流路Ｂから貫通穴ｈを経た後第２の流水孔７へと迂回して第１の流水孔７７から隙間流路Ｇを通り第１出口２３に至るミストの流路Ｌ1 〔図２（Ａ）参照〕、または、噴霧ガイド部材１２とで供給流路Ｂから貫通穴ｈを経た後第２の流水孔７へと迂回して第２出口２４に至るフレアの流路Ｌ2 〔図２（Ｂ）参照〕、あるいは、ジェットの流路Ｌ3 〔図２（Ｃ）参照〕を形成する環状の第１のガイド部材２５を有する。
【００１５】
（２）また、ノズルヘッド３は、第１のガイド部材２５および噴霧ガイド部材１２とで供給流路Ｂから貫通穴ｈを経た後第２の流水孔７へと迂回して第３出口２６に至るシャワーの流路Ｌ4 〔図３（Ａ）参照〕、あるいは、じょうろの流路Ｌ5 〔図３（Ｂ）参照〕を形成する環状の第２のガイド部材２７を有する。この第２のガイド部材２７は、第１のガイド部材２５の外側に位置する。
【００１６】
（３）更に、ノズルヘッド３は、前記第２のガイド部材２７、ノズルヘッド３の筒部２８およびスピンドル４の外周部４ａとで供給流路Ｂから前記ねじ部８，９の隙間Ｍを経て第４出口２９に至る整流の流路Ｌ6 （図４参照）を形成する第３のガイド部材３０を有する。このように、必要最小限度の数（３つの）のガイド部材２５，２７，３０を用い、かつ、ノズルヘッド３の筒部２８およびスピンドル４の外周部４ａを有効に利用するだけで、フレア（拡散水）、ジェット、シャワー、じょうろの４つの異なる散水パターンに加えてミストと整流の散水パターンを任意に設定できる点がこの発明の２つ目の特徴である。しかも、前記ねじ部８，９の隙間Ｍを整流の流路Ｌ6 の一部とすることで、簡易な構成のガイド部材２５，２７，３０を構成できる点がこの発明の３つ目の特徴である。
【００１７】
前記第１のガイド部材２５は、流路Ｌ1 ，Ｌ2 ，Ｌ3 と流路Ｌ4 ，Ｌ5 を仕切る仕切板として機能する。
【００１８】
また、第２のガイド部材２７は、流路Ｌ4 ，Ｌ5 と流路Ｌ6 を仕切る仕切板として機能する。
【００１９】
３２は、供給流路Ｂの出口２２を開閉してスピンドル側への供給流量を調整する流量調整ハンドルで、流通穴３３を有する筒状の流量調整コア３４に連結されている。
【００２０】
４０は弁体レバーで、後述するストッパ５０に設けた軸芯Ｃを中心に回動自在に取り付けられている。そして、流量操作レバー４１を手指で押圧（開）操作すると、この操作に連動して弁体レバー４０は前記係止突部１０２を介して筒体７８をスプリング１１０に抗して上流側に押し下げ、ひいては前記弁体８０を開方向に移動させるよう構成されている。
【００２１】
４２は、弁座として機能する環状パッキンで、弁体８０が閉状態にあるとき（図１参照）は、弁体８０の先端フランジ４３がパッキン受け４４に支持された前記パッキン４２に当接する。一方、弁体８０が開くときは、前記筒体７８の周部に設けた複数の流出穴４５が出口２２に連通する。
【００２２】
５０は、前記軸芯Ｃを支持するストッパで、グリップ２０の取付け部材２０ａでグリップ２０に取付けられたストッパ本体６０と、バネ６１と、操作片６２より構成されている。このストッパ５０は、流量操作レバー４１に係止して開操作を維持する機能を持つ。なお、７０は散水板、７２は散水板押さえである。
【００２３】
而して、スピンドル４が最も前側に位置する状態で流量操作レバー４１を開操作すると、最終的に隙間流路Ｇが第１の出口２３に連通するミストの流路Ｌ1 〔図２（Ａ）参照〕を形成できる。
【００２４】
この状態から、ノズルヘッド３を例えば前方からみて反時計方向に回転させると、スピンドル４が少しだけＡ1 方向に移動してフレアの流路Ｌ2 〔図２（Ｂ）参照〕を形成できる。この場合、スピンドル４の先細り部分５ａの外周に形成された外向きに拡がるテーパー面１００と、第１のガイド部材２５の小径環状部分２５ａの下流側内面に形成された外向きに拡がるテーパー面１０１との相乗効果により、第２出口２４からは拡散して吐水する。また、この第２出口２４からの吐水量は、第１の出口２３からの吐水量に比して極めて大である。
【００２５】
このフレアの状態から、ノズルヘッド３を同方向に回転させると、更に、スピンドル４が少しだけＡ1 方向に移動してジェットの流路Ｌ3 〔図２（Ｃ）参照〕を形成できる。この場合、先細り部分５ａの前記テーパー面１００より下流側に連設された平坦面１０３と、第１のガイド部材２５の前記テーパー面１０１より上流側に連設された平坦面１０２との相乗効果により、第２出口２４からは略真っ直ぐに勢いよく吐水する。また、この第２出口２４からの吐水量は、第１の出口２３からの吐水量に比して極めて大である。
【００２６】
そして、このジェットの状態から、ノズルヘッド３を同方向に回転させると、スピンドル４がＡ1 方向に更に移動してシャワーの流路Ｌ4 〔図３（Ａ）参照〕を形成できる。この場合、シャワーの流路Ｌ4 の最下流流路２０１は、第１のガイド部材２５および第２のガイド部材２７によって形成されるが、第２の流水孔７が、最下流流路２０１の入口２０１ａと略整合するよう位置する。よって、第３出口２６からは勢いよく吐水する。
【００２７】
続いて、このシャワーの状態から、ノズルヘッド３を同方向に回転させると、スピンドル４がＡ1 方向に更に移動してじょうろの流路Ｌ5 〔図３（Ｂ）参照〕を形成できる。この場合、スピンドル４によって第２の流水孔７の下流側が覆われるので、第３出口２６からは、シャワーの場合程勢いよく吐水しない。
【００２８】
更に、このじょうろの状態から、ノズルヘッド３を同方向に回転させると、スピンドル４がＡ1 方向に更に移動して供給流路Ｂから前記ねじ部８，９の隙間Ｍを経て第４出口２９に至る整流の流路Ｌ6 （図４参照）を形成できる。この場合、整流の流路Ｌ6 の最下流流路３０１は、第２のガイド部材２７、第３のガイド部材３０、ノズルヘッド３の筒部２８によって形成される。
【００２９】
なお、シャワーからじょうろへの切り換えを、図３（Ａ）のシャワーの流路Ｌ4 において、ノズルヘッド３はそのままで、出口２２から流通穴３３への流量が小さくなるよう流量調整ハンドル３２を操作するだけで行える。
【００３０】
【発明の効果】
この発明では、供給流路の出口を開閉してスピンドル側への供給流量を調整する流量調整ハンドルを設け、スピンドルを内部が中空に形成し、このスピンドルの下流側開口の近傍に上流側に向かって第１の流水孔および第２の流水孔を順次設け、前記スピンドル内で前記下流側開口および第２の流水孔間にコマ状の噴霧ガイド部材を嵌め込み、ノズルヘッドに、噴霧ガイド部材とで前記供給流路から前記貫通穴、前記第２の流水孔、前記第１の流水孔を通り前記噴霧ガイド部材およびスピンドル間に形成された隙間を経て前記下流側開口の直上流側に位置する第１出口に至る流路と、前記噴霧ガイド部材とで前記供給流路から前記貫通穴、前記第２の流水孔を経て第２出口に至る流路とを形成する第１のガイド部材と、この第１のガイド部材および前記噴霧ガイド部材とで前記供給流路から前記貫通穴、前記第２の流水孔を経て第３出口に至る流路を形成する第２のガイド部材と、この第２のガイド部材、前記ノズルヘッドの筒部およびスピンドルの外周部とで前記供給流路からねじ結合部の隙間を経て第４出口に至る流路を形成する第３のガイド部材とを設けたので、簡易な構成で、かつ、必要最小限度の数のガイド部材を用いて、フレア（拡散水）、ジェット、シャワー、じょうろの４つの異なる散水パターンに加えてミストと整流の散水パターンを任意に設定できる効果がある。
【図面の簡単な説明】
【図１】  この発明の一実施形態を示す全体構成説明図である。
【図２】  （Ａ）は、上記実施形態におけるミストの状態を示す構成説明図である。
（Ｂ）は、上記実施形態におけるフレアの状態を示す構成説明図である。
（Ｃ）は、上記実施形態におけるジェットの状態を示す構成説明図である。
【図３】  （Ａ）は、上記実施形態におけるシャワーの状態を示す構成説明図である。
（Ｂ）は、上記実施形態におけるじょうろの状態を示す構成説明図である。
【図４】    上記実施形態における整流の状態を示す構成説明図である。
【符号の説明】
１…散水器、２…散水器本体、３…ノズルヘッド、４…スピンドル、４ａ…スピンドルの外周部、７…第２の流水孔、８…雄ねじ部、９…雌ねじ部、１０…係合突起、１１…係止溝、１２…噴霧ガイド部材、２０…グリップ、２２…出口、２３…第１出口、２４…第２出口、２５…第１のガイド部材、２６…第３出口、２７…第２のガイド部材、２８…ノズルヘッドの筒部、２９…第４出口、３０…第３のガイド部材、３２…流量調整ハンドル、４０…弁体レバー、４１…流量操作レバー、４２…軸芯、５０…ストッパ、７７…第１の流水孔、８０…弁体、ｈ…貫通穴、Ｂ…供給流路、Ｍ…隙間、Ｌ4 …シャワーの流路Ｌ4 、Ｌ5 …じょうろの流路、２０１…最下流流路、２０１ａ…最下流流路の入口。
【図１】
0004358948.tif 000002
【図２】
0004358948.tif 000003
【図３】
0004358948.tif 000004
【図４】
0004358948.tif 000005